(57)【要約】  【課題】  遠隔操作により適正な画像を適正なシャッタタイミングで撮影することができるようにすること。  【解決手段】  遠隔の携帯電話から着信信号及びレリーズ信号を無線で受信する電話回路３４と、着信信号を受信すると遠隔の携帯電話の操作に従って撮影を行うリモートカメラモードを設定するモード制御部３６と、リモートカメラモードに設定されるとカメラ１６により動画を撮影して遠隔の携帯電話にリアルタイムで送信し、遠隔の携帯電話からレリーズ信号を受信するとカメラ１６により静止画の撮影を行うシステム制御部４０とを備えるように構成した。【選択図】  図１
2005323254.tif 000002
【特許請求の範囲】
【請求項１】
撮影を行うカメラと、
遠隔の携帯電話から着信信号及びレリーズ信号を無線で受信する無線通信手段と、
前記着信信号を受信すると前記遠隔の携帯電話の操作に従って撮影を行うリモートカメラモードを設定するモード制御手段と、
前記リモートカメラモードに設定されると前記カメラにより動画を撮影して前記遠隔の携帯電話にリアルタイムで送信し、前記遠隔の携帯電話からレリーズ信号を受信すると前記カメラにより静止画の撮影を行うカメラ制御手段と、
を備えることを特徴とするカメラ付き携帯電話。
【請求項２】
前記無線通信手段は、前記リモートカメラモードで前記レリーズ信号の受信から前記静止画の撮影の開始までの待機時間を示す情報を前記遠隔の携帯電話から受信し、
前記カメラは、前記レリーズ信号を受信すると前記待機時間の経過後に静止画を撮影することを特徴とする請求項１に記載のカメラ付き携帯電話。
【請求項３】
前記遠隔の携帯電話から認証情報を受信すると該認証情報と予め記憶した認証情報とを比較して、一致した場合には前記遠隔の携帯電話の遠隔操作を許可し、一致しない場合には前記遠隔の携帯電話の遠隔操作を拒否する認証制御手段を備えることを特徴とする請求項１又は２に記載のカメラ付き携帯電話。
【発明の詳細な説明】
【技術分野】
【０００１】
本発明はカメラ付き携帯電話に係り、特に遠隔から操作可能なカメラ付き携帯電話に関する。
【背景技術】
【０００２】
カメラは、一般に、セルフタイマを利用した場合、所定の時間経過後にシャッタを切るようになっている。
【０００３】
一方で、カメラ付きの携帯電話が普及してきた。特許文献１には、遠隔にある別の携帯電話機から電話をかけると、着信を検知して自動的にシャッタを切るようにしたカメラ付き携帯電話が記載されている。また、特許文献２には、セルフタイマとタッチセンサを有し、タッチセンサから人体が離れるとセルフタイマのカウントを開始して、タイムアップすると撮影を開始するようにしたカメラ付き携帯電話が記載されている。
【特許文献１】特開２００３−１８２５４号公報
【特許文献２】特開２００２−２０４３８６号公報
【発明の開示】
【発明が解決しようとする課題】
【０００４】
特許文献１に記載されたものは、遠隔の携帯電話からの着信を検知した時にシャッタを切るようになっており、遠隔の携帯電話での発信操作から撮影用の携帯電話での着信までの時間の長さ、すなわち相手先の電話で呼び出しが始まるまでにかかる時間は、電話の混み具合等の通信環境によっても左右されるので、結果として、いつ撮影が行われるのかを遠隔操作する側で正確に把握するのが難しいという問題がある。また、どのように撮影されることになるかを遠隔操作する側で事前に確認することができないという問題がある。したがって、撮影してみて、画像を確認し、何回か試行錯誤を繰り返して、やっと所望の画像が得られるということも少なくない。
【０００５】
特許文献２に記載されたものは、予め設定したセルフタイマの時間内に、あわてて撮影位置まで行ってカメラの方を向いて準備しなければならない。
【０００６】
本発明はこのような事情に鑑みてなされたもので、遠隔操作する場合であっても適正な画像を適正なシャッタタイミングで撮影することができるカメラ付き携帯電話を提供することを目的とする。
【課題を解決するための手段】
【０００７】
前記目的を達成するために、請求項１に記載の発明は、撮影を行うカメラと、遠隔の携帯電話から着信信号及びレリーズ信号を無線で受信する無線通信手段と、前記着信信号を受信すると前記遠隔の携帯電話の操作に従って撮影を行うリモートカメラモードを設定するモード制御手段と、前記リモートカメラモードに設定されると前記カメラにより動画を撮影して前記遠隔の携帯電話にリアルタイムで送信し、前記遠隔の携帯電話からレリーズ信号を受信すると前記カメラにより静止画の撮影を行うカメラ制御手段とを備える構成となっている。
【０００８】
この構成によって、遠隔から撮影用の携帯電話に電話をかけて呼び出した後、リアルタイムの動画（スルー画）により視認しながらレリーズ指示できることになる。
【０００９】
請求項２に記載の発明は、請求項１に記載の発明において、前記無線通信手段は、前記リモートカメラモードで前記静止画の撮影の開始までの待機時間を示す情報を前記遠隔の携帯電話から受信し、前記カメラは、前記待機時間の経過後に静止画を撮影する構成となっている。
【００１０】
この構成によって、遠隔から待機時間を設定して撮影をすることができる。
【００１１】
請求項３に記載の発明は、請求項１又は２に記載の発明において、前記遠隔の携帯電話から認証情報を受信すると該認証情報と予め記憶した認証情報とを比較して、一致した場合には前記遠隔の携帯電話の遠隔操作を許可し、一致しない場合には前記遠隔の携帯電話の遠隔操作を拒否する認証制御手段を備える構成となっている。
【００１２】
この構成によって、第３者の携帯電話からの着信による誤動作が防止されるとともに、第３者による不正な遠隔操作が制限される。
【発明の効果】
【００１３】
本発明によれば、遠隔操作する場合であっても適正な画像を適正なシャッタタイミングで撮影することができる。
【発明を実施するための最良の形態】
【００１４】
以下、添付図面に従って、本発明を実施するための最良の形態について詳細に説明する。
【００１５】
図１は、本発明を適用したカメラ付き携帯電話の要部ブロック図である。
【００１６】
図１において、携帯電話１は、主として、送話音声を入力するマイクロフォン１２と、受話音声を出力するスピーカ１４と、撮影を行うカメラ１６と、表示を行うディスプレイ２０と、操作を行うためのキーパッド２２と、着信の報知等を行うＬＥＤ（Light Emitting Diode）２４と、マイクロフォン１２から入力された音声の符号化及び受信した音声の復号化を行う音声処理部２６と、カメラ１６で撮影した画像の符号化及び受信した画像の復号化を行う画像処理部２８と、別の携帯電話と携帯電話通信網を介して無線で通信するアンテナ３２及び電話回路３４と、携帯電話１のモードの設定を制御するモード制御部３６と、カメラ１６のタイマ設定を行うタイマ設定部３８と、携帯電話１の各部を統括制御するシステム制御部４０と、画像、携帯電話１を動作させるためのプログラム及びそのプログラムの動作に必要な情報を記憶するメモリ４２、によって構成されている。
【００１７】
ディスプレイ２０は、ユーザの遠隔操作を案内する画面（例えば、暗証番号の入力画面、カメラメニュー、タイマ設定画面）の表示、遠隔操作の結果（例えば、エラーメッセージやタイマ設定完了）の表示、画像の表示等、各種の表示を行う。
【００１８】
キーパッド２２は、電話番号の入力、発信指示、暗証番号の入力、タイマ時間の入力、レリーズ操作等の各種の操作を受け付ける。
【００１９】
モード制御部３６が制御するモードには、待受モード、通話中モード、カメラモード、リモートカメラモードなどがある。具体的には、モード制御部３６は、携帯電話１の電源が入れられると、待受モードを設定する。この待受モードにおいて、キーパッド２２により相手先が指定されて発信が指示されると、待受モードを通話中モードに切り換えて、通話や所定の通信が終了すると待受モードに戻す。また、待受モードにおいて、アンテナ３２及び電話回路３４によって携帯電話通信網を介して着信信号を受信すると、待受モードを通話中モードに切り換えて、通話や所定の通信が終了すると待受モードに戻す。また、待受モードにおいて、キーパッド２２によりカメラ１６の起動が指示されると、待受モードをカメラモードに切り換える。また、カメラモードにおいて、ローカルなカメラ撮影が終了すると、待受モードに切り換える。一方で、カメラモードにおいて、アンテナ３２及び電話回路３４によって携帯電話通信網を介して着信信号を受信すると、カメラモードからリモートカメラモードに切り換える。
【００２０】
ここで、リモートカメラモードは、遠隔にある別の携帯電話の操作に従ってカメラ１６により撮影を行うモードである。
【００２１】
タイマ設定部３８は、リモートカメラモードにおいて、電話回路３４が別の携帯電話から携帯電話通信網を介してタイマ時間を受信すると、受信したタイマ時間をカメラ１６の一時メモリ１８に設定することにより、カメラ１６のタイマ設定を行う。
【００２２】
ここで、タイマ時間は、電話回路３４が遠隔の携帯電話からレリーズ信号を受信してから、カメラ１６により撮影を開始するまでの待機時間である。
【００２３】
タイマ時間の設定の態様には各種ある。第１に、レリーズ信号とは別に予めタイマ時間を受信して、このタイマ時間をカメラ１６に予め設定しておき、レリーズ信号の受信を契機にタイマ時間を計時した後に撮影を行う態様がある。第２に、レリーズ信号とともにタイマ時間を受信し、このレリーズ信号の受信を契機にタイマ時間を計時した後に撮影を行う態様がある。
【００２４】
システム制御部４０は、遠隔の携帯電話で表示する画面情報を生成して、電話回路３４により携帯電話通信網を介して遠隔の携帯電話に無線で送信する。
【００２５】
ここで、遠隔の携帯電話で表示する画面には、暗証番号を入力するための暗証番号入力画面、遠隔操作の項目を選択するためのカメラメニュー、カメラ１６のタイマを設定するためのタイマ設定画面などがある。
【００２６】
また、システム制御部４０は、カメラモードにおいて、遠隔の携帯電話からの着信が検知されたとき、この遠隔の携帯電話に対して暗証番号を要求する。そして、遠隔の携帯電話から暗証番号が受信されたとき、受信した暗証番号とメモリ４２に予め記憶された暗証番号とを比較して、一致した場合には遠隔操作を許可し、一致しない場合には遠隔操作を拒否する。
【００２７】
また、システム制御部４０は、リモートカメラモードにおいて、カメラ１６により撮影した動画を遠隔の携帯電話にリアルタイムで送信し、この遠隔の携帯電話からレリーズ信号を受信するとカメラ１６により静止画の撮影を行う。
【００２８】
カメラ１６は、リモートカメラモードにおいて、電話回路３４によりレリーズ信号が検出されると、静止画の撮影を行う。ここで、カメラ１６の一時メモリ１８にタイマ時間が設定されている場合には、レリーズ信号を受信してからタイマ時間（例えば１０秒）を計時し、タイマ時間の経過後に静止画の撮影を行う。
【００２９】
なお、本発明のカメラ制御手段及び認証制御手段は、主としてシステム制御部４０によって構成されている。
【００３０】
図２に示すように携帯電話１Ａ（以下「携帯電話Ａ」と称する）から携帯電話通信網を介して携帯電話１Ｂ（以下「携帯電話Ｂ」と称する）を遠隔操作して撮影を行う場合の処理の流れを、図３のフローチャートを用いて説明する。
【００３１】
撮影用の携帯電話Ｂのキーパッド２２を操作することにより携帯電話Ｂのモードをカメラモードに予め切り換えておき、この携帯電話Ｂを所定の撮影位置に設置しておく。例えば、図２のようにホルダ２に入れて設置する。設置後、遠隔操作用の携帯電話Ａのキーパッド２２を操作して、携帯電話Ａから携帯電話Ｂに電話をかける（Ｓ２）。撮影用の携帯電話Ｂでは、遠隔操作用の携帯電話Ａから携帯電話通信網を介して着信があると、現在のモードがカメラモードであるか否かが判定される（Ｓ４）。
【００３２】
着信時に携帯電話Ｂがカメラモード以外のモード（例えば通話中モード）であった場合には、携帯電話Ａの遠隔操作が拒否され、携帯電話Ｂから携帯電話Ａにエラーメッセージが送信されて（Ｓ６）、携帯電話Ａと携帯電話Ｂとの通信が切断される（Ｓ７０）。
【００３３】
一方で、着信時に携帯電話Ｂがカメラモードであれば、携帯電話Ｂから携帯電話Ａに「暗証番号を入力して下さい。」というメッセージが送信されて、そのメッセージが携帯電話Ａのディスプレイ２０に表示される（Ｓ８）。遠隔操作用の携帯電話Ａで暗証番号が入力されると（Ｓ１０）、携帯電話Ａから携帯電話Ｂに暗証番号が送信される（Ｓ１２）。携帯電話Ａから暗証番号を受信した携帯電話Ｂでは、受信した暗証番号が予め携帯電話Ｂのメモリ４２に記憶された暗証番号と一致するか否かが判定される（Ｓ１４）。
【００３４】
暗証番号が一致しない場合には、すでに暗証番号の入力を３回したか否か判定し（Ｓ１５）、すでに３回入力した場合には、遠隔操作が拒否されて通信は切断され（Ｓ７０）、３回未満である場合には、携帯電話Ｂから携帯電話Ａに「間違っています。再度入力して下さい。」というメッセージが送信されて、そのメッセージが携帯電話Ａのディスプレイ２０に表示される（Ｓ１６）。
【００３５】
一方で、暗証番号が一致した場合には、遠隔操作が許可されて、携帯電話Ｂはカメラモードからリモートカメラモードに切り換わり（Ｓ１８）、携帯電話Ｂから携帯電話Ａにカメラメニューが送信されて、そのカメラメニューが携帯電話Ａのディスプレイ２０に表示される（Ｓ２０）。ここで、カメラメニューとして、「タイマ設定」、「プレビュー」、「終了」等の遠隔操作の各項目が、テキスト（文字列）あるいはアイコン（図柄）で表示されるので、これらの項目の中から携帯電話Ａのキーパッド２２を用いて項目を選択する（Ｓ２２）。
【００３６】
カメラメニューの「タイマ設定」を選択した場合には、遠隔操作用の携帯電話Ａでレリーズ操作してから撮影用の携帯電話Ｂで実際に撮影を開始するまでの待機時間（タイマ時間）の設定を行うことができる。具体的には、「タイマ設定」が選択されると携帯電話Ａのディスプレイ２０にタイマ設定画面が表示されるので（Ｓ３２）、携帯電話Ａのキーパッド２２を用いてタイマ時間を入力する（Ｓ３４）。例えば、１秒から１５秒までの秒単位で、シャッタを切るまでの時間を入力する。入力されたタイマ時間は、携帯電話Ａから携帯電話Ｂに送信される（Ｓ３６）。携帯電話Ｂは、受信したタイマ時間をそのカメラの一時メモリ１８に設定することによりカメラ１６のタイマ設定を行う（Ｓ３８）。そして、携帯電話Ｂから携帯電話Ａに「○○秒のタイマが設定されました。」というメッセージが送信されて、そのメッセージが携帯電話Ａのディスプレイ２０に表示される（Ｓ４０）。
【００３７】
カメラメニューの「プレビュー」を選択した場合には、撮影用の携帯電話Ｂから送信されてくるスルー画（リアルタイムの動画である）を遠隔操作用の携帯電話Ａのディスプレイ２０に映し出させて、被写体がどのように写されるかを事前に確認することができる。具体的には、「プレビュー」が選択されると、携帯電話Ａから携帯電話Ｂにスルー画要求が送信されるので（Ｓ５２）、携帯電話Ｂでは、そのカメラ１６の撮影モードを動画モードに設定して（Ｓ５４）、そのカメラ１６で撮影される動画を、携帯電話Ａに対して、所定の割合のフレーム（例えば１秒間に１０コマ）でリアルタイムに転送し、携帯電話Ａのディスプレイ２０に表示させる（Ｓ５６）。
【００３８】
このようにスルー画が表示された状態で、遠隔操作用の携帯電話Ａのキーパッド２２でレリーズ操作を行うと（Ｓ５８）、携帯電話Ａから携帯電話Ｂにレリーズ指示が送信される（Ｓ６０）。レリーズ指示を受信した携帯電話Ｂは、静止画の撮影を行う（Ｓ６２）。具体的には、タイマ設定がされている場合には、レリーズ指示を受信してからタイマ時間の経過後に静止画の撮影を行い、タイマ設定がない場合（すなわちタイマ時間が０秒である場合）には、レリーズ指示の受信とほぼ同時に撮影を行う。
【００３９】
携帯電話Ａで遠隔操作して携帯電話Ｂのカメラで撮影した静止画は、その携帯電話Ｂのメモリ４２に記憶される。その後、遠隔操作用の携帯電話Ａから撮影用の携帯電話Ｂのメモリ４２に記憶された画像を読み出して表示するようにしてもよい。
【００４０】
そして、カメラメニューで「終了」を選択した場合には、携帯電話Ａと携帯電話Ｂとの通信が切断される（Ｓ７０）。
【００４１】
なお、図３に示す処理では、タイマ設定をする場合、遠隔操作用の携帯電話Ａでタイマ時間の入力を行って（Ｓ３２乃至３８）、その後に携帯電話Ａでスルー画を視認してからレリーズ操作をするようになっているが、本発明は、このような場合に特に限定されるものではない。例えば、遠隔操作用の携帯電話Ａでタイマ時間の入力を行って（Ｓ３２乃至３８）、すぐにレリーズ操作を行うようにしてもよい。レリーズ信号にはタイマ時間が付加されて、携帯電話Ａから携帯電話Ｂに送信される。タイマ時間付きのレリーズ信号を受信した携帯電話Ｂは、レリーズ信号受信からタイマ時間の経過後に静止画の撮影を行う。
【図面の簡単な説明】
【００４２】
【図１】本発明に係る一実施形態のカメラ付き携帯電話
【図２】遠隔撮影に用いる一組の携帯電話の説明に用いる説明図
【図３】遠隔撮影処理の一例の流れを示すフローチャート
【符号の説明】
【００４３】
１…携帯電話（遠隔操作用の携帯電話Ａ、撮影用の携帯電話Ｂ）、１６…カメラ、２０…ディスプレイ、２２…キーパッド、３２…アンテナ、３４…電話回路（無線通信手段）、３６…モード制御部、３８…タイマ設定部、４０…システム制御部（カメラ制御手段、認証制御手段）、４２…メモリ
【図１】
2005323254.tif 000003
【図２】
2005323254.tif 000004
【図３】
2005323254.tif 000005